(57)【特許請求の範囲】
【請求項１】
（Ｅ）−６−ノネナールを有効成分とする柑橘香味増強剤。
【請求項２】
請求項１に記載の柑橘香味増強剤を（Ｅ）−６−ノネナール濃度として１０-6ｐｐｍ〜１０3ｐｐｍ含有させたことを特徴とする柑橘香料組成物。
【請求項３】
請求項２に記載の柑橘香料組成物を（Ｅ）−６−ノネナール濃度として１０-6ｐｐｂ〜１０3ｐｐｂ含有させたことを特徴とする飲食品（但し、当該飲食品がルイボスティーの水抽出物を含む場合を除く。）。
【請求項４】
請求項２に記載の柑橘香料組成物を（Ｅ）−６−ノネナール濃度として１０-6ｐｐｂ〜１０3ｐｐｂ含有させたことを特徴とする香粧品。
【発明の詳細な説明】
【技術分野】
【０００１】
本発明は、柑橘特有の果皮様のボディー感のある香味を付与する柑橘香味増強剤に関し、更に詳しくは、（Ｅ）−６−ノネナールを極微量添加することにより、従来にない柑橘特有のフレッシュでピール感のある香味を付与する柑橘香味増強剤に関する。
【背景技術】
【０００２】
近年、消費者の嗜好性が多様化してきていることに伴い、各種各様の商品の開発が望まれている。特に、飲食品・香粧品業界はこの傾向が強く、消費者の嗜好性に合うバラエティーに富んだ飲食品または香粧品の開発が強く要求されている。これらの要求に対して、飲食品または香粧品の一つの原料素材である香料についても、従来から提案されている香料化合物だけでは十分には対応しきれず、従来にないユニークな香気香味特性を有し、且つ、その持続性に優れた香料化合物の開発が緊急の課題となっている。オレンジ、レモン、グレープフルーツ、ライム、ユズなどの柑橘類で香味付けられた製品においても、より天然感のある香気香味を有する香料化合物が要求されている。
【０００３】
（Ｚ）−６−ノネナールはメロンを始めとする各種フルーツなどからの香気成分として見出され、香料化合物として一般的に用いられており、その香気特性は「強いメロン様」とされている（非特許文献１）。また、実際にメロン様香気を有する調合香料に使用された例も記載されている（特許文献１）。
【０００４】
一方（Ｚ）−６−ノネナールの幾何異性体である（Ｅ）−６−ノネナールも公知化合物であり、例えば、ルイボスティーの香気成分（非特許文献２）、雄ヤギ頭皮の香気成分（非特許文献３）、粉乳製造時に発生するオフフレーバー（非特許文献４）などから見出されたことが報告されている。しかしながら（Ｅ）−６−ノネナールの香気は非特許文献３によると、ヤギ臭の成分であり、また引用文献４によると粉乳中のオフフレーバーとしての閾値は０．０７ｐｐｂときわめて低く、そのため通常の香料の調合においては「異臭物質」となる可能性が高く、従来、調合香料の香料素材としては使用されていなかった。
【０００５】
したがって、前記非特許文献２〜４を始めとする従来技術には、（Ｅ）−６−ノネナールがヤギのような香気、腐った脂肪のような香気、メロン的ムスク香気を有することは開示されているが、（Ｅ）−６−ノネナールを飲食品、香粧品または香料に極微量を添加することにより、柑橘特有の果皮様のボディー感のある香味を付与することは記載も示唆もされていない。
【０００６】
なお、（Ｅ）−６−ノネナールの構造式は［化１］で、（Ｚ）−６−ノネナールの構造式は［化２］で示される。
【化１】
0004183142.tif 000002
【化２】
0004183142.tif 000003
【０００７】
【非特許文献１】印藤元一著「＜増補改訂版＞  合成香料  化学と商品知識」  化学工業日報社  ２００５年３月２２日  １６８頁
【非特許文献２】Ｊ．Ａｇｒｉｃ．Ｆｏｏｄ  Ｃｈｅｍ．，４１，６３３−６３６  （１９９３）
【非特許文献３】Ｊ．Ｄａｉｒｙ  Ｓｃｉ．，６７（４），７９４−８０１（１９８４）
【非特許文献４】Ｊ．Ｄａｉｒｙ  Ｓｃｉ．，５２（７），９５３−９５６（１９６９）
【特許文献１】特開２００５−１５６８６号公報  請求項５８（５行目）、実施例６４
【発明の開示】
【発明が解決しようとする課題】
【０００８】
本発明の目的は柑橘特有の果皮様のボディー感のある香味を付与することができる柑橘香味増強剤を提供することにある。
【課題を解決するための手段】
【０００９】
本発明者らは、上記の課題を解決するため鋭意研究を行ってきた結果、意外なことに従来は異臭物質と考えられていた（Ｅ）−６−ノネナールを柑橘香料組成物中に１０-6ｐｐｍ〜１０3ｐｐｍという極微量添加することにより、柑橘果皮様のボディー感のある香味を付与することができることを見いだし、さらにその柑橘香味増強剤を飲食品または香粧品に有効量添加することにより柑橘果皮様のボディー感のある香味を付与することができることを見いだし本発明を完成するに至った。
【００１０】
従って本発明は、（Ｅ）−６−ノネナールを有効成分とする柑橘香味増強剤を提供するものである。また、本発明は前記の柑橘香味増強剤を（Ｅ）−６−ノネナール濃度として１０-6ｐｐｍ〜１０3ｐｐｍ含有させさたことを特徴とする柑橘香料組成物を提供するものである。さらに本発明は前記の柑橘香料組成物を（Ｅ）−６−ノネナール濃度として１０-6ｐｐｂ〜１０3ｐｐｂ含有させたことを特徴とする飲食品（但し、当該飲食品がルイボスティーの水抽出物を含む場合を除く。）を提供するものである。さらにまた、本発明は前記の柑橘香料組成物を（Ｅ）−６−ノネナール濃度として１０-6ｐｐｂ〜１０3ｐｐｂ含有させたことを特徴とする香粧品を提供するものである。
【００１１】
本発明の柑橘香味増強剤は、柑橘香味を有する物質に配合して使用される。配合の対象となる物質は、柑橘香味を有すればその種類を問わない。当該物質としては、香料、飲食品、香粧品が例示される。
【発明の効果】
【００１２】
本発明の柑橘香味増強剤の有効成分である（Ｅ）−６−ノネナールは、オレンジ様、レモン様、グレープフルーツ様、ライム様、ユズ様などの香気を有する柑橘香料組成物中に１０-6ｐｐｍ〜１０3ｐｐｍ配合することで、従来にはない柑橘特有の果皮様のボディー感を付与することができる。また、その柑橘香味増強剤を飲食品または香粧品に有効量添加することにより柑橘果皮様のボディー感のある香味を付与することができる。
【発明を実施するための最良の形態】
【００１３】
本発明の実施の態様について更に詳しく説明する。
【００１４】
本発明で使用される（Ｅ）−６−ノネナールは、公知文献による方法で合成することができる。例えば、（Ｅ）−３−ヘキセニルクロリドと２−(２−ブロモエチル)−１，３―ジオキソランとのカップリング反応により合成できる（特開昭５６−９５１４２号公報）。
【００１５】
（Ｅ）−６−ノネナールは、柑橘香味を有する飲食品または香粧品に対して単独で使用しても良いが、好ましくはオレンジ様、レモン様、ライム様、グレープフルーツ様、ユズ様などの柑橘香料組成物に（Ｅ）−６−ノネナールを極微量配合して香料組成物を得、それを飲食品や香粧品に配合することで、従来にはない柑橘特有の果皮様のボディー感のある香味を付与することができる。
【００１６】
かかる柑橘香料組成物の素材としては、例えば、オシメン、リモネン、α−フェランドレン、テルピネン、３−カレン、ビサボレン、バレンセンなどの炭化水素類；３−ヘプタノール、１−ウンデカノール、２−ウンデカノール、１−ドデカノール、プレノール、１０−ウンデセン−１−オール、ジヒドロリナロール、テトラヒドロムゴール、ミルセノール、ジヒドロミルセノール、テトラヒドロミルセノール、オシメノール、テルピネオール、３−ツヤノール、ベンジルアルコール、β−フェニルエチルアルコール、α−フェニルエチルアルコールなどのアルコール類；アセトアルデヒド、ｎ−ヘキサナール、ｎ−ヘプタナール、ｎ−オクタナール、ｎ−ノナナール、２−メチルオクタナール、３，５，５−トリメチルヘキサナール、デカナール、ウンデカナール、２−メチルデカナール、ドデカナール、トリデカナール、テトラデカナール、トランス−２−ヘキセナール、トランス−４−デセナール、シス−４−デセナール、トランス−２−デセナール、１０−ウンデセナール、トランス−２−ウンデセナール、トランス−２−ドデセナール、３−ドデセナール、トランス−２−トリデセナール、２，４−ヘキサジエナール、２，４−デカジエナール、２，４−ドデカジエナール、５，９−ジメチル−４，８−デカジエナール、シトラール、ジメチルオクタナール、α−メチレンシトロネラール、シトロネリルオキシアセトアルデヒド、ミルテナール、ネラール、α−あるいはβ−シネンサール、マイラックアルデヒド、フェニルアセトアルデヒド、オクタナールジメチルアセタール、ノナナールジメチルアセタール、デカナールジメチルアセタール、デカナールジエチルアセタール、２−メチルウンデカナールジメチルアセタール、シトラールジメチルアセタール、シトラールジエチルアセタール、シトラールプロピレングリコールアセタールなどのアルデヒド類；３−ヘプタノン、３−オクタノン、２−ノナノン、２−ウンデカノン、２−トリデカノン、メチルヘプテノン、ジメチルオクテノン、ゲラニルアセトン、２，３，５−トリメチル−４−シクロヘキセニル−１−メチルケトン、ネロン、ヌートカトン、ジヒドロヌートカトン、アセトフェノン、４，７−ジヒドロ−２−イソペンチル−２−メチル−１，３−ジオキセピンなどのケトン類；ギ酸プロピル、ギ酸オクチル、ギ酸リナリル、ギ酸シトロネリル、ギ酸ゲラニル、ギ酸ネリル、ギ酸テルピニル、酢酸エチル、酢酸イソプロピル、酢酸シス−３−ヘキセニル、酢酸トランス−２−ヘキセニル、酢酸オクチル、酢酸ノニル、酢酸デシル、酢酸ドデシル、酢酸ジメチルウンデカジエニル、酢酸オシメニル、酢酸ミルセニル、酢酸ジヒドロミルセニル、酢酸リナリル、酢酸シトロネリル、酢酸ゲラニル、酢酸ネリル、酢酸テトラヒドロムゴール、酢酸ラバンジュリル、酢酸ネロリドール、酢酸ジヒドロクミニル、酢酸テルピニル、酢酸シトリル、酢酸ノピル、酢酸ジヒドロテルピニル、酢酸２，４−ジメチル−３−シクロヘキセニルメチル、酢酸ミラルディル、酢酸ベチコール、プロピオン酸デセニル、プロピオン酸リナリル、プロピオン酸ゲラニル、プロピオン酸ネリル、プロピオン酸テルピニル、プロピオン酸トリシクロデセニル、プロピオン酸スチラリル、酪酸オクチル、酪酸ネリル、酪酸シンナミル、イソ酪酸イソプロピル、イソ酪酸オクチル、イソ酪酸リナリル、イソ酪酸ネリル、イソ吉草酸リナリル、イソ吉草酸テルピニル、イソ吉草酸フェニルエチル、２−メチル吉草酸２−メチルペンチル、３−ヒドロキシヘキサン酸メチル、３−ヒドロキシヘキサン酸エチル、オクタン酸メチル、オクタン酸オクチル、オクタン酸リナリル、ノナン酸メチル、ウンデシレン酸メチル、安息香酸リナリル、ケイヒ酸メチル、アンゲリカ酸イソプレニル、ゲラン酸メチル、クエン酸トリエチルなどのエステル類；チモール、カルバクロール、β−ナフトールイソブチルエーテルなどのフェノール類；γ−ウンデカラクトン、δ−ドデカラクトンなどのラクトン類；酢酸、プロピオン酸、酪酸、吉草酸、ヘキサン酸、オクタン酸、デカン酸、ドデカン酸、２−デセン酸、ゲラン酸などの酸類；アントラニル酸メチル、アントラニル酸エチル、Ｎ−メチルアントラニル酸メチル、Ｎ−２′−メチルペンチリデンアントラニル酸メチル、リガントラール、ドデカンニトリル、２−トリデセンニトリル、ゲラニルニトリル、シトロネリルニトリル、３，７−ジメチル−２，６−ノナジエノニトリル、インドール、５−メチル−３−ヘプタノンオキシム、チオゲラニオール、リモネンチオール、Ｐ−メンチル−８−チオールなどの含窒素・含硫化合物類など公知の合成香料化合物及び柑橘果皮の圧搾、溶剤抽出、水蒸気蒸留などにより得られる柑橘香料などを挙げることができ、これらを任意に組み合わせて混合した柑橘香料組成物を挙げることができる。また、ここで柑橘とは、例えばオレンジ、スイートオレンジ、ビターオレンジ、ネロリ、マンダリン、プチグレン、ベルガモット、タンゼリン、レモン、グレープフルーツ、スウィーティー、ライム、ベルガモットなどのほか、ユズ、シークワーサー、スダチ、イヨカン、ダイダイ、ハッサク、カボス、温州ミカンなどの和柑橘をあげることができる。
【００１７】
本発明の（Ｅ）−６−ノネナールの配合量は、重要であり、その目的あるいは柑橘香料組成物の種類によっても異なるが、例えば、柑橘香料組成物の全体重量に対して１０-6ｐｐｍ〜１０3ｐｐｍ、好ましくは、１０-4ｐｐｍ〜１０2ｐｐｍ、より好ましくは１０-3ｐｐｍ〜１０ｐｐｍの範囲を例示することができる。これらの範囲内では、柑橘香料組成物に対し柑橘のピール感、フレッシュ感、ボディー感、みずみずしさなどを付与する優れた効果を有する。一方、柑橘香料組成物に対する（Ｅ）−６−ノネナールの配合量が１０3ｐｐｍを越える場合には、（Ｅ）−６−ノネナール単独特有のヤギ様、石鹸様、脂肪様の異臭としての香気・香味特性が出てしまい好ましくない。また、柑橘香料組成物に対する（Ｅ）−６−ノネナールの配合量が１０-6ｐｐｍを下回る場合は本発明特有の香気・香味付与効果が得られない。
【００１８】
さらに、本発明は、（Ｅ）−６−ノネナールを有効成分とする柑橘香味増強剤を含有させた柑橘香料組成物を有効量添加したことを特徴とする飲食品（但し、当該飲食品がルイボスティーの水抽出物を含む場合を除く。）または香粧品に関し、該製品に果皮様のボディー感のある香気・香味を付与することができる。かかる飲食品または香粧品としては特に制限はなく、柑橘香味を有するものであればよく、広い分野の各種飲食品または香粧品に配合利用することができる。飲食品としては、例えば、コーラ飲料、果汁入炭酸飲料、乳類入炭酸飲料などの炭酸飲料類；果汁飲料、野菜飲料、スポーツドリンク、ハチミツ飲料、豆乳、ビタミン補給飲料、ミネラル補給飲料、栄養ドリンク、滋養ドリンク、乳酸菌飲料、乳飲料などの食系飲料類；緑茶、紅茶、ウーロン茶、ハーブティー、コーヒー飲料などの嗜好飲料類；チューハイ、カクテルドリンク、発泡酒、果実酒、薬味酒などのアルコール飲料類；アイスクリーム、ラクトアイス、氷菓、ヨーグルト、プリン、ゼリー、デイリーデザートなどのデザート類及びそれらを製造するためのミックス類；キャラメル、キャンディー、錠菓、クラッカー、ビスケット、クッキー、パイ、チョコレート、スナックなどの菓子類及びそれらを製造するためのケーキミックスなどのミックス類；パン、スープ、各種インスタント食品などの一般食品類；をあげることができる。また、香粧品としては、例えば、香水；シャンプー、リンス、ヘアクリーム、ポマードなどのヘアケア製品；オシロイ、口紅などの化粧品類；フェイス用石鹸、ボデイ用石鹸、洗濯用石鹸、洗濯用洗剤、消毒用洗剤、防臭洗剤などの保健・衛生用洗剤類；歯みがき、ティッシュペーパー、トイレットペーパーなどの保健・衛生材料類；室内芳香剤、カーコロンなどの芳香製品；をあげることができる。
【００１９】
また、本発明の（Ｅ）−６−ノネナールの飲食品への配合量は、その目的あるいは飲食品の種類によっても異なるが、前記柑橘香味増強剤を有効量添加することにより柑橘果皮様のボディー感のある香味を付与することができる。その際の飲食品の（Ｅ）−６−ノネナール含有量は、例えば、飲食品の全体重量に対して１０-6ｐｐｂ〜１０3ｐｐｂ、好ましくは、１０-4ｐｐｂ〜１０2ｐｐｂ、より好ましくは１０-3ｐｐｂ〜１０ｐｐｂの範囲を例示することができる。一方、飲食品の全体重量に対する（Ｅ）−６−ノネナールの配合量が１０3ｐｐｂを越える場合には、（Ｅ）−６−ノネナール単独特有のヤギ様、石鹸様、脂肪様の異臭としての香気・香味特性が出てしまい好ましくない。また、飲食品の全体重量に対する（Ｅ）−６−ノネナールの配合量が１０-6ｐｐｂを下回る場合は本発明特有の香気・香味付与効果が得られない。
【００２０】
また、本発明の（Ｅ）−６−ノネナールの香粧品への配合量は、その目的あるいは香粧品の種類によっても異なるが、前記柑橘香味増強剤を有効量添加することにより柑橘果皮様のボディー感のある香味を付与することができる。その際の香粧品の（Ｅ）−６−ノネナール含有量は、例えば、香粧品の全体重量に対して１０-6ｐｐｂ〜１０3ｐｐｂ、好ましくは、１０-4ｐｐｂ〜１０2ｐｐｂ、より好ましくは１０-3ｐｐｂ〜１０ｐｐｂの範囲を例示することができる。一方、香粧品の全体重量に対する（Ｅ）−６−ノネナールの配合量が１０3ｐｐｂを越える場合には、（Ｅ）−６−ノネナール単独特有のヤギ様、石鹸様、脂肪様の異臭としての香気・香味特性が出てしまい好ましくない。また、香粧品の全体重量に対する（Ｅ）−６−ノネナールの配合量が１０-6ｐｐｂを下回る場合は本発明特有の香気・香味付与効果が得られない。
【００２１】
以下に実施例、比較例および参考例をあげて本発明を詳しく説明する。
【実施例】
【００２２】
［実施例１］（オレンジ様香料の調合）
オレンジ様の調合香料組成物として下記の各成分（重量部）を調合した（比較品１）。
ビターオレンジオイル                ７０
プチグレンオイル                      ５
ネロリ油                              ５
酢酸ラバンジュリル                    １
シトラールジメチルアセタール          ２
プレノール                            １
バレンセン                            ０．５
テトラヒドロミルセノール              ０．２
９５％エタノール                    １５．３
合計   １００．０
【００２３】
上記オレンジ調合香料（比較品１）に対し、（Ｅ）−６−ノネナールの添加量をさまざまに変えて添加したものを本発明品１〜４および比較品２、３とした。それぞれの発明品および比較品の調製に当たっては、表１に示した濃度の（Ｅ）−６−ノネナールのエタノール希釈液を調製し、表１に示した量を添加した。それぞれの調合香料は、専門のパネラー１０名により、官能評価を行った。その平均的な香気評価結果を表１に示す。
【００２４】
【表１】
0004183142.tif 000004
【００２５】
表１に示した通り、オレンジ様調合香料組成物に対し、（Ｅ）−６−ノネナールを１０-6ｐｐｍ、１０-4ｐｐｍ、１ｐｐｍ、１００ｐｐｍ添加した本発明品１〜４は果皮様のボディー感が賦与され、良好なオレンジ様香気が強調されているとの評価であり、香料組成物中に僅か１０-6ｐｐｍ存在するだけでも香気にフレッシュ感が付与されるという結果であった。一方、１０-7ｐｐｍの添加では無添加と大差なく、２０００ｐｐｍ（０．２％）の添加では石鹸様脂肪様の異臭が出てしまい、良好ではなかった。
【００２６】
［比較例１］（（Ｚ）−６−ノネナールとの比較）
実施例１で使用したオレンジ様調合香料（比較品１）に実施例１の（Ｅ）−６−ノネナールに替えて（Ｚ）−６−ノネナールを下記表２に示す濃度を添加し比較品４〜９とした。それぞれの調合香料は、専門のパネラー１０名により、官能評価を行った。その平均的な香気評価結果を表２に示す。
【００２７】
【表２】
0004183142.tif 000005
【００２８】
表２に示したとおり、（Ｚ）−６−ノネナールの添加ではオレンジ様調合香料組成物に対し１ｐｐｍでもコントロールと大差がなく、また１００ｐｐｍ以上添加した場合の香気も、（Ｅ）−６−ノネナールを同量添加した場合と質的に異なり、いかなる濃度でも（Ｅ）−６−ノネナールを添加した場合の様に、果皮様のフレッシュ感、ボディー感が付与されることはなかった。
【００２９】
［実施例２］（レモン様香料の調合）
レモン様の調合香料組成物として下記の各成分（重量部）を調合した（比較品１０）。
レモンオイル                        ７０
ライムオイル                        １０
ギ酸プロピル                          ０．５
ギ酸オクチル                          ０．５
酢酸イソプロピル                      ０．３
ウンデカナール                        ５
ドデカナール                          ０．３
ミルセノール                          ０．３
オシメン                              ０．０５
９５％エタノール                    １３．０５
合計  １００．０
【００３０】
上記レモン様調合香料組成物（比較品１０）１００重量部に、（Ｅ）−６−ノネナールの０．０１％アルコール溶液０．１重量部を混合して新規レモン様調合香料組成物（本発明品５）を調製した。この本発明品５と該化合物を加えていない上記のレモン様調合香料組成物（比較品１０）について、専門パネラー１０人により比較した。その結果、専門パネラー１０人の全員が（Ｅ）−６−ノネナールを加えた本発明品５は、果皮様のボディー感が賦与され、良好なレモン様香気が強調されていると評価した。
【００３１】
［実施例３］（グレープフルーツ様香料の調合）
グレープフルーツ様の調合香料組成物として下記の各成分（重量部）を調合した（比較品１１）。
グレープフルーツオイル              ９０
オクタナール                          ０．５  
デカナール                            ０．５
ドデカナール                          ０．５
シトロネラール                        ０．５
９５％エタノール                      ８
合計 １００．０
【００３２】
上記グレープフルーツ様調合香料組成物１００重量部に、（Ｅ）−６−ノネナールの０．０１％アルコール溶液０．１重量部を混合して新規グレープフルーツ様調合香料組成物（本発明品６）を調製した。この本発明品６と（Ｅ）−６−ノネナールを加えていない上記のグレープフルーツ様調合香料組成物（比較品１１）について、専門パネラー１０人により比較した。その結果、専門パネラー１０人の全員が該化合物を加えた本発明品６は、果皮様のボディー感が賦与され、良好なグレープフルーツ様香気が強調されていると評価した。
【００３３】
［実施例４］（ライム様香料の調合）
ライム様の調合香料組成物として下記の各成分（重量部）を調合した（比較品１２）。
ライムオイル                        ９０    
γ−テルピネン                        ５  
フェンコール                          ３
シトラール                            １
９５％エタノール                      １
合計 １００．０
【００３４】
上記ライム様調合香料組成物１００重量部に、（Ｅ）−６−ノネナールの０．０１％アルコール溶液０．１重量部を混合して新規ライム様調合香料組成物（本発明品７）を調製した。この本発明品７と（Ｅ）−６−ノネナールを加えていない上記のライム様調合香料組成物（比較品１２）について、専門パネラー１０人により比較した。その結果、専門パネラー１０人の全員が該化合物を加えた本発明品７は、果皮様のボディー感が賦与され、良好なライム様香気が強調されていると評価した。
【００３５】
［実施例５］（ユズ様香料の調合）
ユズ様の調合香料組成物として下記の各成分（重量部）を調合した（比較品１３）。
ユズオイル                          ８０    
スイートオレンジオイル                ５
クラリセージオイル                    １  
ペッパーオイル                        １
ジンジャーオイル                      １
カルバクロール                        ０．５
ｃｉｓ−３ーヘキセナール              ０．５
ネリルアセテート                      ０．５
チモール                              ０．５
リナロール                            ５
ミルセン                              ５
合計 １００．０
【００３６】
上記ユズ様調合香料組成物１００重量部に、（Ｅ）−６−ノネナールの０．０１％アルコール溶液０．１重量部を混合して新規ユズ様調合香料組成物（本発明品８）を調製した。この本発明品８と（Ｅ）−６−ノネナールを加えていない上記のユズ様調合香料組成物（比較品１３）について、専門パネラー１０人により比較した。その結果、専門パネラー１０人の全員が該化合物を加えた本発明品８は、果皮様のボディー感が賦与され、良好なユズ様香気が強調されていると評価した。
【００３７】
［実施例６］（オレンジ果汁飲料への配合）
実施例１および比較例１で得られたオレンジ様調合香料組成物（本発明品１〜４および比較品１〜９）を下記処方の飲料基材に添加しオレンジ果汁飲料を調製した。
オレンジ果汁飲料配合処方     （重量部）
果糖ぶどう糖液糖          ３００
クエン酸（結晶）              １．５
ビタミンＣ                    ０．０５
本発明品または比較品          ２
バレンシアオレンジ果汁  １０００
水にて全量を２０００とする
これらのオレンジ果汁飲料を、専門パネラー１０人により官能評価を行った。その平均的な風味評価結果を表３に示す。
【００３８】
【表３】
0004183142.tif 000006
【００３９】
表３に示すとおり、本発明品１〜４および比較品１〜９を添加したオレンジ果汁飲料は、実施例１および２で調合香料を評価した時と同様の風味が飲料中でもそのまま再現されていた。すなわち（Ｅ）−６−ノネナールの飲料中添加量が１０-6ｐｐｂ、１０-4ｐｐｂ、１ｐｐｂ、１００ｐｐｂとなる本発明品１〜４を添加した飲料は果皮様のボディー感が賦与され、良好なオレンジ様香気が強調されているとの評価であり、飲料中に僅か１０-6ｐｐｂ存在するだけでも香気にフレッシュ感が付与されるという結果であった。一方、飲料中１０-7ｐｐｂの添加となる比較品２を添加した飲料は（Ｅ）−６−ノネナール無添加の調合香料（比較品１）を添加した飲料と大差なく、（Ｅ）−６−ノネナール２０００ｐｐｂの添加となる比較品３を添加した飲料では石鹸様脂肪様の異臭が出てしまい、良好ではなかった。一方、（Ｚ）−６−ノネナールの添加ではオレンジ果汁飲料に対し１ｐｐｂでもコントロールと大差がなく、また１００ｐｐｂ以上添加した場合の香気も、（Ｅ）−６−ノネナールを同量添加した場合と質的に異なり、いかなる濃度でも（Ｅ）−６−ノネナールを添加した場合の様に、果皮様のフレッシュ感、ボディー感が付与されることはなかった。
【００４０】
［実施例７］（キャンディーへの配合）
実施例２で得られたレモン様調合香料組成物（本発明品５及び比較品１０）を下記処方のキャンディー基材に添加し、常法によりキャンディーを調製し実施例６と同様に官能評価を行った。
キャンディー配合処方              （重量部）
グラニュー糖                        ４８
水飴（７５％）                      ３２
水                                  ２０
ゼラチン                              ２
硬化ヤシ油（融点３４℃）              ９
全脂加糖練乳                          ５
クエン酸（結晶）                      ０．５
着色料                                ０．０６
本発明品５（または比較品１０）        ０．２
濃縮オレンジ果汁                      ２
できあがり生地量 約１００
【００４１】
これらのキャンディーを、専門パネラー１０人により官能評価を行った。その結果、専門パネラー１０人全員が、本発明品５を添加したキャンディーは比較品１０を添加したキャンディーに較べて、果皮様のボディー感が強調されていると評価した。
【００４２】
［実施例８］（スポンジケーキへの配合）
実施例３で得られたグレープフルーツ様調合香料組成物（本発明品６及び比較品１１）を下記処方のスポンジケーキ生地に添加し、常法によりスポンジケーキを調製し、実施６と同様に官能評価を行った。
スポンジケーキ配合処方            （重量部）
薄力粉                            １０００
ベーキングパウダー                    ３０
砂糖                              １３００
全卵                              １６００
牛乳                                ４００
無塩バター                            ３０
バニラオイル                            １    
本発明品６（または比較品１１）          １
合計              ４３６２
【００４３】
これらのスポンジケーキを、専門パネラー１０人により官能評価を行った。その結果、専門パネラー１０人全員が、本発明品６を添加したスポンジケーキは比較品１１を添加したスポンジケーキに較べて、果皮様のボディー感が強調されていると評価した。
【００４４】
［実施例９］（シャーベットへの配合）
実施例４で得られたライム様調合香料組成物（本発明品７及び比較品１２）を下記処方のシャーベットに添加し、常法によりシャーベットを調製し、実施例６と同様に官能評価を行った。
シャーベット配合処方               （重量部）
砂糖                                  １０
水飴（７５％）                          ６
果糖ぶどう糖液糖（７５％）              ５
クエン酸（結晶）                        ０．１
１／５ライム果汁                      １０
本発明品７（または比較品１２）          ０．２
水にて合計量を１００とする
【００４５】
これらのシャーベットを、専門パネラー１０人により官能評価を行った。その結果、専門パネラー１０人全員が、本発明品７を添加したシャーベットは比較品１２を添加したシャーベットに較べて、果皮様のボディー感が強調されていると評価した。
【００４６】
［実施例１０］（ゼリーへの配合）
実施例５で得られたユズ様調合香料組成物（本発明品８及び比較品１３）を下記処方のゼリーに添加し、常法によりゼリーを調製し、実施例６と同様に官能評価を行った。
ゼリー配合処方                       （重量部）
グラニュー糖                          ６０
ソルビトール                          １２
１／５柚子果汁                          ５
寒天                                    １
クエン酸（結晶）                        ０．３
着色料                                  ０．０３
本発明品８（または比較品１３）          ０．２
水にて合計量を １００とする
【００４７】
これらのゼリーを、専門パネラー１０人により官能評価を行った。その結果、専門パネラー１０人全員が、本発明品８を添加したゼリーは比較品１３を添加したゼリーに較べて、果皮様のボディー感が強調されていると評価した。
【００４８】
［実施例１１］（台所用液体洗剤への配合）
実施例１および比較例１で得られたオレンジ様調合香料組成物（本発明品１〜４および比較品１〜９）を下記処方の台所用液体洗剤に添加し、常法により台所用液体洗剤を調製し、実施例６と同様に官能評価を行った。
台所用液体洗剤配合処方                    （重量部）
塩化ベンザルコニウム                      １．０
クエン酸                                  ５．０
ジエチレングリコールモノブチルエーテル    ３．０
キサンタンガム                            ０．５
アルキルグリコシド                        ２．０
本発明品（または比較品）                  ０．１
水にて合計量を１００．０とする
【００４９】
これらの台所用液体洗剤について実際の台所洗浄時の香気を、良く訓練された専門パネラー１０人により評価した。その平均的な香気評価結果を表４に示す。
【００５０】
【表４】
0004183142.tif 000007
【００５１】
表４に示したとおり、本発明品１〜４および比較品１〜９を添加した台所用液体洗剤を用いて洗浄した時の香気は、実施例１および２で調合香料を評価した時と同様の香気がそのまま再現されていた。すなわち（Ｅ）−６−ノネナールを洗剤中に１０-6ｐｐｂ、１０-4ｐｐｂ、１ｐｐｂ、１０2ｐｐｂ添加となる、本発明品１〜４の香料を配合した洗剤を用いて洗浄した場合、果皮様のボディー感あり、良好なオレンジ様香気が感じられるとの評価であり、洗剤中に僅か１０-6ｐｐｂ存在するだけでも香気にフレッシュ感が付与されるという結果であった。一方、（Ｅ）−６−ノネナールを洗剤中に１０-7ｐｐｂの添加では無添加と大差なく、２０００ｐｐｂの添加では石鹸様脂肪様の異臭が出てしまい、良好ではなかった。一方、（Ｚ）−６−ノネナールの添加では洗剤中に１ｐｐｂでもコントロールと大差がなく、また１００ｐｐｂ以上添加した場合の香気も、（Ｅ）−６−ノネナールを同量添加した場合と質的に異なり、いかなる濃度でも（Ｅ）−６−ノネナールを添加した場合の様に、果皮様のフレッシュ感、ボディー感が付与されることはなかった。
【００５２】
［実施例１２］（ガスレンジ用クリーナーの配合）
実施例３で得られたグレープフルーツ様調合香料組成物（本発明品６および比較品１１）を下記処方のガスレンジ用クリーナーに添加した。
ガスレンジ用クリーナー処方           （重量部）
ブチルセロソルブ                        ５
ドデシルポリオキシエチレンエーテル      ２
モノエタノールアミン                    ４
本発明品６（または比較品１１）          ０．５
水にて合計量を１００．０とする
【００５３】
これらのガスレンジクリーナーについて実際のガスレンジ洗浄時の香気を、良く訓練された専門パネラー１０人により評価した。専門パネラー１０人により官能評価を行った。その結果、専門パネラー１０人全員が、本発明品６を添加したガスレンジクリーナー使用時の香気は比較品１１を添加したガスレンジ用クリーナー使用時に較べて、果皮様のボディー感が強調されていると評価した。
【００５４】
［実施例１３］（消臭芳香剤ゲルへの配合）
実施例２で得られたレモン様調合香料組成物（本発明品５及び比較品１０）を下記処方の油性ゲル状消臭芳香剤に添加し、常法により油性ゲル状消臭芳香剤を調製した。
油性ゲル状消臭芳香剤処方                  （重量部）
ステアリン酸ナトリウム                    ７．５
精製水                                    ２．０
ヘキシレングリコール                      ４．０
ジブチルヒドロキシトルエン                ０．２
ｄ−リモネン                            ７６．３
本発明品５（または比較品１０）          １０．０
合計            １００．０
【００５５】
これらの消臭芳香剤を、専門パネラー１０人により官能評価を行った。その結果、専門パネラー１０人全員が、本発明品５を添加した消臭芳香剤は比較品１０を添加した消臭芳香剤に較べて、果皮様のボディー感が強調されていると評価した。
【要約】
【課題】 柑橘特有の果皮様のボディー感のある香味を付与することができる柑橘香味増強剤および柑橘香料組成物を提供する。
【解決手段】 （Ｅ）−６−ノネナールを有効成分とする柑橘香味増強剤および（Ｅ）−６−ノネナールを、１０-6ｐｐｍ〜１０3ｐｐｍ含有することを特徴とする柑橘香料組成物。
【選択図】なし